(57)【要約】      （修正有）【課題】埋め戻し材を過剰に含水させることなく埋め戻す方法を提供する。【解決手段】埋め戻し材をドライな状態で収容する完全排水状態のケーシング３２を、海底の埋め戻し位置に移動させ、この完全排水状態のケーシング３２下端を、掘削孔の孔底などの埋め戻し位置の海底に近接させる。そして、ケーシング３２内の排水状態を保った状態で、ケーシング３２下端のバケット３１を開き、水中排気管５６とともにケーシング３２を引き上げる。海底地盤上に排出された埋め戻し材の塊を、ケーシング３２下端のバケット３１を閉じた状態で該ケーシング３２により押し潰してもよい。このような方法によれば、ケーシング３２内に収容されているドライな状態の埋め戻し材を、海水に晒すこと無くほとんどそのままの状態で、海底まで搬送できる。しかも、海底地盤への材料排出の過程で、埋め戻し材の過剰な含水状態を招くことがなく、また、水質汚濁を招くこともない。【選択図】図１２
2019131981.tif 000002
【特許請求の範囲】
【請求項１】
水底地盤を埋め戻すための装置であって、
埋め戻し材をドライな状態で収容するためのケーシングと、
前記ケーシングの下端開口部を開閉するための開閉部材と、
水中のケーシング内に圧縮空気を送るためのポンプと、
水中のケーシング内の空気圧力を外部にガイドするように設けられた排気路と、
前記排気路の排気口からの排気をガイドする排気ガイド部材と、
を具備する埋め戻し装置。
【請求項２】
前記排気ガイド部材は、少なくとも前記排気路の排気口近傍を隙間を隔てて囲う外管で構成されている、ことを特徴とする請求項１に記載の埋め戻し装置。
【請求項３】
前記排気路と前記排気ガイド部材は、一体回転可能に設けられている、
ことを特徴とする請求項１又は２に記載の埋め戻し装置。
【請求項４】
請求項１乃至３の何れかに記載の埋め戻し装置を利用して水底地盤を埋め戻す方法であって、
埋め戻し材をドライな状態で収容するケーシングを、水底の埋め戻し位置に移動させる工程と、
埋め戻し材をドライな状態で収容する前記ケーシングの下端を、埋め戻し位置の水底に近接させる工程と、
前記ケーシングの下端開口部を開けた状態で、且つ、圧縮空気によりケーシング内への水の流入を妨げた状態で、排気路とともにケーシングを引き上げる工程と、
を含むことを特徴とする埋め戻し方法。
【請求項５】
排気路とともにケーシングを引き上げる過程で、ケーシング内の埋め戻し材が水底地盤に向けて排出され、
排出された前記埋め戻し材を、ケーシング下端の開閉部材が閉じた状態で該ケーシングにより押し潰す工程を、さらに含むことを特徴とする請求項４に記載の埋め戻し方法。
【発明の詳細な説明】
【技術分野】
【０００１】
本発明は、海底、湖底、川底などの水底地盤の改良や水底環境の改善などの各種工事で利用可能な水底地盤の埋め戻し装置および方法に関するものである。
【背景技術】
【０００２】
従来より、海底地盤の改良や海底環境の改善を目的として、海底地盤に対して各種工事が実施されており、特許文献１には、そのような海底地盤の改良や海底環境の改善などに利用可能な技術が開示されている。
図１３は、特許文献１に開示された作業船と、この作業船が具備する埋め戻し装置を示す正面図である。
図１４は、特許文献１に開示された埋め戻し方法を示す側面図と正面図である。
【０００３】
図１３に示すように、特許文献１に開示された作業船が具備する埋め戻し装置は、
・埋め戻し材を海底までガイドする略パイプ状のシュートと、
・シュート内に埋め戻し材を投入するための埋め戻し材投入口と、
を有している。
【０００４】
特許文献１によれば、この埋め戻し装置を用いた埋め戻しでは、図１４に示すとおり、海底地盤の掘削孔に、作業船からシュートを介して埋め戻し材を投入し、該埋め戻し材で掘削孔を埋め戻す、といった施工が行われる。
【先行技術文献】
【特許文献】
【０００５】
【特許文献１】特許第６２０９６９８号公報（図５、図１３）
【発明の概要】
【発明が解決しようとする課題】
【０００６】
しかしながら、特許文献１に開示されたようなシュートによる埋め戻しには、次のような問題点があった。
【０００７】
上述した従来技術のシュートを用いて、例えば図１４に示すように海底地盤の掘削孔を埋め戻す場合、シュートの内部は常に、海水面の高さまで海水で満たされている。したがって、シュートに投入された埋め戻し材は、該シュート内を自重に任せて降下する過程で、海水に晒され且つ海水に洗われながら、海底の掘削孔に向かって流れ落ちて行く。そのため、シュート投入前にドライな状態であった埋め戻し材は、シュート内で海水に晒された状態で海水中を流れ落ち、海底の掘削孔に到達した時点で大量の海水を含むことになる。すなわち、シュートを介して海底に到達した時点で、埋め戻し材のドライな状態は完全に失われ、埋め戻し材が過剰に含水しているといった問題がある。
【０００８】
また、ドライな状態の埋め戻し材をシュートに投入すると、海水で満たされたシュート内を流れ落ちる過程で海水汚濁が発生する。シュート内で汚濁した海水は、シュート下端の開口部から埋め戻し材とともに排出されて周囲に流出し、海水汚濁によって周囲の漁場を荒らすなどの環境被害を招くという問題がある。
【０００９】
また、シュートを介して海底地盤に排出された埋め戻し材は、必要に応じて、押し潰しなどによって締め固める必要があるが、堆積している埋め戻し材が過剰に含水している場合には、締まりにくいため、埋め戻し後の地盤の支持強度に欠け、自律性が乏しいという問題がある。また、このように過剰に含水している埋め戻し材に対し締め固めを施す場合には、締め固め時の衝撃等で海水の汚濁の拡散を招き、周囲の漁場を荒らすなどの環境被害を招くという問題がある。
【００１０】
そこで、上述した課題に鑑み、本発明の目的は、埋め戻し材を過剰に含水させることなく埋め戻すことを可能にするとともに、漁場などの環境に配慮した施工を可能にする、埋め戻し装置および埋め戻し方法を提供することにある。
【課題を解決するための手段】
【００１１】
上記目的は、水底地盤を埋め戻すための装置であって、
埋め戻し材を排出可能にドライな状態で収容するためのケーシングと、
前記ケーシングの下端開口部を開閉するための開閉部材と、
水中のケーシング内に圧縮空気を送るためのポンプと、
水中のケーシング内の空気圧力を外部にガイドするように設けられた排気路と、
前記排気路の排気口の目詰まりを防止するための排気ガイド部材と、
前記排気ガイド部材を備える排気路を上げ下げするための昇降手段と、
を具備する埋め戻し装置によって達成される。
【００１２】
上記埋め戻し装置において、排気ガイド部材は、例えば、少なくとも前記排気路の排気口近傍を隙間を隔てて囲う外管で構成されている。
【００１３】
前記排気路と前記排気ガイド部材は、一体回転可能に設けてもよい。
【００１４】
また、前述した目的は、
ケーシング内を圧縮空気で加圧することによってケーシング内への水の流入を妨げた状況下で、埋め戻し材をドライな状態で収容するケーシングを、水底の埋め戻し位置に移動させる工程と、
圧縮空気によりケーシング内への水の流入を妨げた状況下で、埋め戻し材をドライな状態で収容するケーシング下端を、埋め戻し位置の水底に近接させる工程と、
前記ケーシングの下端開口部を開けた状態で、且つ、圧縮空気によりケーシング内への水の流入を妨げた状態で、排気路とともにケーシングを引き上げる工程と、
を含む水底地盤の埋め戻し方法によって達成される。
【００１５】
この埋め戻し方法では、排気路とともにケーシングを引き上げる過程で、ケーシング内の埋め戻し材が水底地盤に向けて排出される。なお、排出された前記埋め戻し材の塊を、ケーシング下端の開閉部材が閉じた状態で該ケーシングにより押し潰してもよい。
【発明の効果】
【００１６】
本発明に係る装置および方法は、水底地盤の改良や水底環境の改善などの水上土木工事に応用することで優れた効果が達成される。
【００１７】
なお、本発明における「水底」の具体例としては、例えば、海底、川底、湖底が挙げられる。また、「水底地盤」の具体例としては、例えば、海底地盤、川底の地盤、湖底の地盤が挙げられる。また、「水」の具体例としては、例えば、海水、川の水、湖の水が挙げられる。
【００１８】
以下、水底の一例として海底を挙げ、また、水底地盤の一例として海底地盤を挙げる。
【００１９】
本発明に係る埋め戻し装置は、
・埋め戻し材を排出可能にドライな状態で収容するためのケーシングと、
・水中のケーシング内に圧縮空気を送るためのポンプと、
を有している。
このような構成によれば、圧縮空気によりケーシング内を排水状態に維持できるので、ケーシングに収容した埋め戻し材を、海底に排出するまでのあいだドライな状態に維持できる。したがって、ケーシング内の埋め戻し材のドライな状態が損なわれることは無く、また、埋め戻し材が過剰に海水を含水することが無いように水底地盤を埋め戻すことができる。
また本発明によれば、圧縮空気によりケーシング内への海水流入を妨げた状態を維持できるので、ケーシングに収容されている埋め戻し材が海水に晒されることが無く、水質汚濁を招くことが無いので、漁場などの環境に配慮した埋め戻しが可能になる。
また、本発明に係る埋め戻し装置は、水中のケーシング内の空気圧力を外部にガイドするように設けられた排気路を有している。これにより、過剰な圧気を排気路を介してケーシング外に逃がすことができるので、ケーシング下端から圧気が逃げることがない。したがって、ケーシング下端が海底に近接した状態で排気が行われても、当該排気（排気泡による海底土砂等の巻き上げ）に起因する水質汚濁を招くことが無く、環境に配慮した埋め戻しが可能になる。
また、本発明に係る埋め戻し装置は、排気口からの排気をガイドする排気ガイド部材を具備している。この排気ガイド部材は、排気口の目詰まりを防止する目詰まり防止手段としても機能する。このような構成により、排気路を上げ下げするときに、その先端が海底の地盤や土砂に触れたり突き刺さることがあっても、排気口に目詰まりを招くことなく、排気を海水面に向けてガイドできる。
また、本発明に係る埋め戻し装置は、ケーシングの下端開口部を開閉するための開閉部材（例えばバケット）を有している。これにより、排出された埋め戻し材を、ケーシングの下端開口部を閉じた状態で押し潰すことが可能になる。このように排出済みの埋め戻し材の塊（埋め戻し材の集合体）を押し潰すことで、当該埋め戻し材が締固まり、埋め戻し箇所の支持強度や自立性を増加させることができる。また、埋め戻し箇所の天端の管理が可能となる。
【００２０】
また、本発明に係る埋め戻し装置において、排気ガイド部材は、排気口近傍を隙間を隔てて囲うように設けられた外管を含んで構成されている。したがって、排気路の先端が海底地盤に突き刺さった様な状態でも、当該排気路を介してケーシング内の空気圧力を確実に排気することができる。
また、排気路にこのような外管を取り付けることで、海底の地盤中でも（すなわち排気路の先端が地盤に突き刺さったような状態でも）ケーシング内圧力管理が可能となる。
また、排気口から排出された圧縮空気（排気泡）は、その排出直後から、その周囲を囲う外管によって海底から離れた位置までガイドされるので、排気泡が海底土砂等に触れることが無い。したがって、排気口から圧縮空気が排出されるときに、当該排気（排気泡による土砂等の巻き上げ）に起因する水質汚濁を招くことが無く、環境に配慮した埋め戻しが可能になる。
【００２１】
また、本発明に係る埋め戻し装置において、排気ガイド部材を備える排気路は、ドリルのように回転可能に設けられている。これにより、ケーシングから埋め戻し材を排出する際に、必要に応じて、排気路を海底地盤に簡単に且つ確実に貫入することが可能になる。
【００２２】
また、本発明に係る埋め戻し方法では、ケーシング内を圧縮空気で加圧することによってケーシング内への海水流入を妨げた状態で、埋め戻し材を収容するケーシングを、海底の埋め戻し位置に移動させる。
これにより、ケーシング内の完全排水状態（完全排水されたケーシング内部を周囲の海水から隔離した状態）が維持され、ケーシングに収容した埋め戻し材を、排出までのあいだドライな状態に維持できる。また、ケーシング内に海水が流入することがないため、水質汚濁を招くことが無く、環境に配慮した埋め戻しが可能になる。
また、本発明に係る埋め戻し方法では、圧縮空気によりケーシング内への海水流入を妨げた状態で、埋め戻し材を収容するケーシング下端を、埋め戻し位置の海底に近接させる。すなわち、埋め戻し材をドライな状態で収容するケーシング下端を、埋め戻し位置に最接近させる。このときケーシング下端を海底に突き当ててもよい。
材料排出直前のケーシングをこのように位置決めすることで、次工程の排出時に、埋め戻し材が海水に晒された状態で海中を流れ落ちることが無い。したがって、排出過程において、埋め戻し材の過剰な含水状態を招くことが無く、また、水質汚濁を招くことが無い。そのため、埋め戻し材を収容するケーシング下端を埋め戻し位置に近接させる際には、次工程の排出時に埋め戻し材が海水に晒された状態で海中を流れ落ちることが無い程度に、また、次工程の排出過程で埋め戻し材の過剰な含水状態を招くことが無い程度に、さらに、次工程の排出過程で水質汚濁を招くことが無い程度に、ケーシング下端を海底に近接させる。
したがって、本発明によれば、ケーシング内に収容されているドライな状態の埋め戻し材を、ほとんどそのままの状態で、埋め戻し位置まで搬送することができる。しかも、その埋め戻し位置へ排出する過程で、埋め戻し材の過剰な含水状態を招くことがなく、さらに、水質汚濁を招くこともない、といった優れた効果が達成される。
また、本発明によれば、埋め戻し材の排出後においても、圧縮空気によりケーシング内への水の流入を妨げた状態が維持されている。したがって、ケーシングを用いた埋め戻し材の収容・搬送・排出という一連のサイクルを繰り返す場合に、ケーシング内の排水の手間が省けて、効率的に当該サイクルを繰り返すことができる。したがって、水中における埋め戻し材の搬送・排出を要する施工を効率的に進めることができる。
また、一サイクルを終えて次のサイクルを開始する際に、ケーシング内の海水を一気に排水することがないので、このような排水に起因する水質汚濁が発生することもない。したがって、環境に配慮した施工を行うことが可能となる。
【００２３】
また、本発明に係る埋め戻し方法では、海底の地盤上に排出され堆積している埋め戻し材の塊を、ケーシング下端の開閉部材が閉じた状態で該ケーシングにより押し潰す。このように排出済みの埋め戻し材を押し潰すことで、当該埋め戻し材が締め固まり、支持強度や自立性を増加させることができる。また、埋め戻し箇所の天端の管理が可能となる。
また、本発明によれば、ケーシング内に収容されていたドライな状態の埋め戻し材が、過剰に海水を含水すること無く、海底地盤上の埋め戻し位置に移行している。したがって、ケーシング下端で押し潰すときに、当該埋め戻し材が周囲に逃げることなく、その場で締め固まる。したがって海底地盤上に堆積する埋め戻し材の強度向上にも寄与できる。
また、埋め戻し位置に堆積している状態の埋め戻し材は、従来のように過剰に海水を含水しておらず、また、埋め戻し装置の自重を利用して静的な押し潰しを行うため、当該材料が巻き上がり難いので、水質汚濁を招くことが無く、環境に配慮した施工が可能になる。
【図面の簡単な説明】
【００２４】
【図１】本発明の実施に利用可能な作業船（地盤改良船）の一例を示す側面図と正面図である。
【図２】本発明の実施に利用可能な作業船（地盤改良船）の一例を示す平面図である。
【図３】図３(a)は図１(a)に示す作業船の船首側を示す側面拡大図であり、図３(b)は図３(a)に示す掘削兼埋め戻し装置の単体を示す側面図である。
【図４】図４(a)は図１(b)に示す作業船が具備する掘削兼埋め戻し装置を中心に示す正面拡大図であり（掘削兼埋め戻し装置に隣接する部材等の図示を適宜省略）、図４(b)は図４(a)に示す掘削兼埋め戻し装置の単体を示す正面図である。
【図５】図１(b)に示す作業船が具備する掘削兼埋め戻し装置の具体的構成を示す側面拡大図であって、図５(a)はケーシング先端にあるバケット（開閉部材）が開いた状態を示しており、図５(b)は海底地盤を掘削するときのバケットの動作を示しており、図５(c)はバケットが開いた状態であって且つ掘削翼を降ろして海底地盤を掘削しているときの状態を示しており、図５(d)はバケットを閉じて掘削土砂をケーシング内に取り込んでバケットを閉じたときの状態を示している。
【図６】図１(b)に示す作業船が具備する掘削兼埋め戻し装置の具体的構成を示す正面拡大図であって、図６(a)はケーシング内の掘削翼を上げた状態を示しており、図６(b)はケーシング内の掘削翼を下げた状態を示している。
【図７】図５(b)に示す掘削兼埋め戻し部を示す側面拡大図である。
【図８】ケーシング内圧力制御装置を示す、概略構成図、側面図、正面図である。
【図９】図９(a)は、図８(b)に示すケーシング内圧力制御装置の拡大図であり、図９(b)は、図９(a)に示す水中排気管と外管を更に拡大して示す透視図であり、図９(c)は、図９(b)に示す水中排気管と外管の断面図である。
【図１０】ケーシング内圧力制御装置の機能作用を示す図である。
【図１１】掘削兼埋め戻し装置を利用した海底地盤の掘削方法の一例を示す側面図と正面図である。
【図１２】掘削兼埋め戻し装置を利用した埋め戻し方法の一例を示す工程図である。
【図１３】作業船が具備する従来の埋め戻し装置を示す正面図である。
【図１４】従来の埋め戻し方法を示す側面図と正面図である。
【発明を実施するための形態】
【００２５】
（作業船）
はじめに、図１〜図４に基づいて、本実施形態で一例として利用する作業船（地盤改良船）の構成について説明する。なお、本実施形態で例示する作業船は、本発明の実施に利用可能な作業機材の一例であり、本発明はこのような船体に代えて、陸上に用意した重機などを利用して実施することも可能である。
【００２６】
本実施形態で利用する作業船１は、図１および図２に示すような外観を有しており、
また、図３および図４の詳細図に示すとおり、主として、
・  アンカーワイヤー２を利用した作業船位置決めシステムと（図２参照）、
・  作業船１の船首側に立設されたリーダ３と、
・  リーダ３に沿って昇降自在に設けられた掘削兼埋め戻し装置５と、
・  リーダ３の側面に設けられたガイドレールと、
・  このガイドレールに沿って昇降自在に設けられた材料投入用の昇降式バケット９と、
・  埋め戻し材を計量して昇降式バケット９に充填するための計量用ホッパー１１と、
・  施工に用いる埋め戻し材を収容する砂箱１３（材料収容箱）と、
・  砂箱内の埋め戻し材を計量用ホッパー１１へ向けて搬送するベルトコンベアー１５を有している。
【００２７】
なお、「埋め戻し材」の具体例としては、例えば、埋め戻しに用いられる改質材などが挙げられる。
【００２８】
以下、作業船の主要部の構成について詳細に説明する。
【００２９】
（作業船位置決めシステム）
作業船位置決めシステムはＧＰＳを用いた位置誘導画面と、図２に示すように、作業船１に固定されたウインチと、該ウインチに巻き取り・繰り出し可能に連結されたアンカーワイヤー２と、の組合せを複数セット含んで構成されている。アンカーワイヤー２が連結されたウインチは、例えば作業船の四隅近傍等に設けられている。
【００３０】
複数のアンカーワイヤー２の一又は二以上を選択的に操作することで、図２に示すように作業船１を海面上で任意の方向に移動させることができ、その結果、作業船１を施工現場の所望の位置に位置決めすることができる。
【００３１】
（掘削兼埋め戻し装置）
掘削兼埋め戻し装置５は、主として、所定位置の海底地盤を掘削するための「掘削装置」としての機能と、所定位置の海底地盤を埋め戻すための「埋め戻し装置」としての機能を兼ね備えた装置である。
なお、本実施形態では、掘削兼埋め戻し装置５に、掘削機能と埋め戻し機能の両方を具備させているが、掘削機能を省いて埋め戻し専用の装置（埋め戻し装置）として構成してもよい。
【００３２】
掘削兼埋め戻し装置５は、リーダ３に沿って昇降自在に設けられており、
図４、図５、図６等に示すとおり、
・埋め戻し材を排出可能にドライな状態で収容するためのケーシング３２と、
・埋め戻し材をケーシング３２内に導くための送給路である一対の材料供給管２１と、
・材料供給管２１内に埋め戻し材を投入するための材料投入口２３と、
・回転駆動装置であるオーガーモーター２５と、
・材料供給管２１およびロッド２７の下端に設けられた掘削兼埋め戻し部２９と、
・オーガーモーター２５の動力を掘削兼埋め戻し部２９内の掘削翼３５に伝達するためのロッド２７を有している。
【００３３】
また、掘削兼埋め戻し装置５は、上記構成に加えて、ケーシング内の圧力を制御するための装置である「ケーシング内圧力制御装置」を有している。ケーシング内圧力制御装置の詳細については後述する。
【００３４】
材料供給管２１および材料投入口２３の組合せは、図６の正面図に示すとおり、掘削兼埋め戻し装置一台につき２セット設けられており、材料供給管２１，２１の間にロッド２７が位置するように、一対の材料供給管２１，２１が間隔をあけて設けられている。各材料供給管２１の上端側は材料投入口２３に連通しており、また、その下端側は掘削兼埋め戻し部２９のケーシング３２内に連通している。
【００３５】
また、材料供給管２１は、ケーシング３２内に圧縮空気を送るエアー流路（圧気用パイプ）としての役割も担っている。エアーポンプから、材料供給管２１を介して、ケーシング３２内に圧縮空気を送り込むことで、その空気圧によって、海中に水没した状態のケーシング３２内から海水を排出することが可能であり、また、ケーシング３２内から海水を排出した状態を維持することが可能である。
【００３６】
オーガーモーター２５から出力される回転動力は、一対の材料供給管２１，２１の間に位置するロッド２７を介して（図６参照）、掘削兼埋め戻し部２９のケーシング３２内に設けられた掘削翼３５に伝達される。
【００３７】
このオーガーモーター２５は、図３(a)に示すとおりリーダ３に昇降自在に連結されており、また、その上端はワイヤーロープ２６に連結されている。当該ワイヤーロープ２６を上下方向で操作することでオーガーモーター２５を含む掘削兼埋め戻し装置５の全体がリーダ３に沿って昇降する。
【００３８】
材料供給管２１の下端に設けられた掘削兼埋め戻し部２９は、
図５、図６、図７等に示すとおり、主として、
・開閉式のバケット３１（開閉部材）を具備する密閉可能なケーシング３２と、
・ケーシング３２内で昇降可能に設けられた掘削翼３５を有している。
【００３９】
ケーシング３２は、平面視略矩形の箱型容器状の構成部材（矩形ケーシング）であり、底部の開口部を開閉可能に構成されている。また、ケーシング３２の天端は、該ケーシングの上から内部に海水が入り込まないように塞いである。また、ケーシング３２の天端の上面側は、ケーシングより上に位置する海水による水圧を受ける水圧受け面として機能する。ケーシング３２がその天端の水圧受け面で受ける水圧は、該ケーシングを海底の地盤に圧入する際の圧入力に利用される。
【００４０】
また、ケーシング３２の上部には、一対の材料供給管２１の下端が連結されており、材料投入口２３から投入された埋め戻し材は該材料供給管２１を介してケーシング３２内にガイドされる。また、エアーポンプから圧送された圧縮エアーは材料供給管２１を介してケーシング３２内に送り込まれる。掘削兼埋め戻し部２９が海水中に没している場合には、該圧縮エアーの圧力によって、ケーシング３２内から海水を排出することができる。すなわち、空気圧によって海水が排出された空間をケーシング３２内に確保することができる。
【００４１】
オーガーモーター２５に連結されたロッド２７の下端は、ケーシング３２内に設けられた掘削翼３５に連結されている。掘削翼３５は、ロッド２７を介して伝達された動力によって回転駆動し、また図５及び図６に示すように、ケーシング３２内で昇降可能に設けられている。
【００４２】
また、ケーシング３２の先端（下端）には、開閉式のバケット３１（開閉部材）が設けられている。ケーシング３２とバケット３１の組合せは、全体としてひとつのケーシングを構成しているともいえる。バケット３１が開くことでケーシング３２の底部が開口し、また、該バケット３１が閉じることでケーシング３２の底部が閉じて密閉される。つまり、バケット３１は、海底地盤を掘削したり掘削土砂を取り込む掘削手段としての役割のほか、ケーシング３２底部を開閉する蓋（開閉部材）としての役割を担っている。
【００４３】
このようなバケット３１（開閉部材）は、開閉動作の手段として例えば油圧シリンダを有している。
バケット３１が開いた状態を図５(a)に示す。この状態では、ケーシング３２の底部は開口している。
バケット３１が開いた状態から閉じるときの動作を図５(b)および図７に示す。このときの一連の動作（開いた状態から閉じる動作）を通じて、その先端の掘削爪によって海底地盤が掘削されるとともに、バケット３１の内側およびケーシング３２内に掘削土砂を取り込むことができる。
バケット３１と掘削翼３５を併用して海底地盤を掘削している状態を図５(c)に示す。この掘削翼３５を併用した掘削では、ケーシング３２内の掘削翼３５が一時的に下降し、ケーシング３２底部の開口部から突き出た状態で海底地盤を回転掘削している。
バケット３１が閉じた状態を図５(d)に示す。この状態では、ケーシング３２底部は閉じて、該ケーシング３２は密閉されている。ケーシング３２内に掘削土砂を取り込んでからバケット３１を閉じた場合には、該ケーシング３２は密閉されて、該掘削土砂はケーシング３２内に閉じ込められることになる。
【００４４】
掘削翼３５は、図６に示すようにケーシング３２内で昇降可能に設けられている。
【００４５】
上記構成の掘削翼３５は、図５(c)に示すように、必要に応じて、ケーシング３２底部の開口部から突き出して、海底地盤を掘削する役割を担っている。
【００４６】
（昇降式バケット）
図３に示すように、作業船１の船首側にリーダ３が立設されており、このリーダ３の側面に設けられたガイドレールに沿って、埋め戻し材などの材料投入用の昇降式バケット９が昇降する。この昇降式バケット９は、掘削兼埋め戻し装置５の材料投入口２３に埋め戻し材を投入する役割を担う。
【００４７】
昇降式バケット９への埋め戻し材の充填は、計量ホッパー１１を介して行われる。作業船１に設けられた砂箱１３には埋め戻し材が収容されており、ベルトコンベアー１５を介して計量ホッパー１１へ搬送される。
【００４８】
（ケーシング内圧力制御装置）
次に、図８、図９に基づいて、前述した掘削兼埋め戻し装置５が具備する「ケーシング内圧力制御装置」について説明する。
【００４９】
図８は、掘削兼埋め戻し装置が具備するケーシング内圧力制御装置を示す、概略構成図、側面図、正面図である。なお、システム構成の特徴を容易に理解できるように、図８(a)には、システム構成の要部のみを概略的に図示する。
図９(a)は、図８(b)に示すケーシング内圧力制御装置の拡大図であり、図９(b)は、図９(a)に示す水中排気管５６と外管７１を更に拡大して示す透視図であり、図９(c)は、図９(b)に示す水中排気管５６と外管７１の断面図である。
【００５０】
後述するとおり、本実施形態では、材料供給管２１を介してケーシング３２内に圧縮空気を送り込むことを特徴の一つとしている（図１２(a)を参照）。そして、本実施形態のケーシング内圧力制御装置は、ケーシング３２内の空気圧（ケーシング３２内に送り込まれた圧縮空気の圧力）を制御する役割を担っている。
【００５１】
本実施形態のケーシング内圧力制御装置は、図８に示すとおり、主として、
・ケーシング３２内に圧縮空気を送るためのエアーポンプ５１と、
・ケーシング３２内の空気圧を制御するための排気路５３と、
・この排気路の排気口６０からの排気泡をガイドする外管７１と、
・排気路５３の先端排気口を水中で上げ下げするための昇降モーター５５（昇降手段）を
具備している。
【００５２】
エアーポンプ５１は、圧気用パイプを通して圧縮空気をケーシング３２内に送り込む。本実施形態では、圧気用パイプとして材料供給管２１（図６等参照）を利用しているが、この材料供給管とは別に、ケーシング３２内に圧縮空気を送るための専用のエアー流路を設けてもよい。
【００５３】
排気路５３は、全体として、ケーシング３２内の空気圧をケーシングの外部（海水中）にガイドするように設けられている。この排気路５３は、水中排気管５６と、排気バイパス管５７と、排気ホース５８と、水中排気管バルブ５９を含んで構成されている。
【００５４】
水中排気管５６の先端にある水中排気口６０は、作業船を用いた施工時に海水中に水没した状態にあり、当該水中排気管５６は、この状態で昇降モーター５５によって上げ下げ可能に設けられている。水中排気管５６の上下動の距離は特に限定されないが、例えば、ケーシング３２の上端と下端の深度範囲内の距離で水中排気口６０を上下動（縦方向の移動が）できるように、水中排気管５６の長さやと昇降モーター５５などを設定する。
【００５５】
また、水中排気管５６の先端側には、水中排気口６０の近傍を取り囲むように外管７１が設けられている。この外管７１は、隙間を隔てて水中排気管５６を取り囲むように、水中排気管５６の先端側に取り付けられている。水中排気管５６と外管７１の間には、図９(b)(c)に示す様に、排気泡をガイドするための隙間である排気泡通過部７３が形成されている。外管７１の下端は、図９(a)(b)に示す様に尖らせてある。これにより、外管７１を具備する水中排気管５６を図１２(b)に示す様に地盤に突き刺す際に、その貫入抵抗を軽減させることができる。
【００５６】
昇降モーター５５によって水中排気管５６を上げ下げする際には、水中排気管５６と外管７１が一体となって上下動する。この外管７１は、水中排気口６０の目詰まりを防止する目詰まり防止手段として機能するとともに、水中排気口６０から排出される排気泡を海水面に向けてガイドする排気泡ガイド手段として機能する。
【００５７】
なお、外管７１を具備する水中排気管５６は、回転可能に設けられてもよい。また、外管７１を具備する水中排気管５６を、ドリルの如く回転するように設けてもよい。また、そのように回転させるためのモーターを、ケーシング内圧力制御装置に設けてもよい。
【００５８】
排気バイパス管５７は、ケーシング３２内の空気圧（圧縮空気）をケーシング外部の水中排気管５６にガイドする役割を担っている。排気バイパス管５７の一端はケーシング３２内（天端）に接続され、他端は、水中排気管バルブ５９と排気ホース５８を介して水中排気管５６に接続されている。
【００５９】
排気ホース５８は、可撓性の耐圧耐水ホースで構成されており、その一端は水中排気管バルブ５９に接続され、他端は水中排気管５６に接続されている。なお、水中排気管５６が上下動する際には、排気ホース５８はその動きに追従するので、水中排気管５６の動作によって両者の接続が外れることはない。
【００６０】
上記構成において、エアーポンプ５１から圧気用パイプを通してケーシング３２内に送り込まれた圧縮空気は、ケーシング内に収容されて、その空気圧によって海水をケーシング外に押し出す。
【００６１】
また、ケーシング３２内に収容された圧縮空気は、排気バイパス管５７によってガイドされ、更に、水中排気管バルブ５９と排気ホース５８を介して、水中排気管５６にガイドされる。したがって、水中排気管バルブ５９が開いている状況下で、エアーポンプ５１から圧縮空気が圧送されている間は、ケーシング３２内の圧縮空気は排気路５３によってガイドされて、水中排気口６０から水中へ排気され続ける。
【００６２】
（ケーシング内圧力制御装置の機能作用）
次に、図１０に基づいて、ケーシング内圧力制御装置の機能作用の概要について説明する。
図１０は、ケーシング内圧力制御装置の機能作用を示す図である。
【００６３】
図１０に示すように、ケーシング３２下端位置の深度に水中排気口６０を位置決めした水中排気管５６を、昇降モーター５５によって上昇させると、これに連動して（上昇する水中排気口６０に追従するように）、ケーシング内水位も上昇する。逆に、ケーシング上端位置の深度に水中排気口６０を位置決めした水中排気管５６を、昇降モーター５５によって下降させると、これに連動して（下降する水中排気口６０に追従するように）、ケーシング内水位も下降する。すなわち、水中排気口６０（水中排気管５６）の上下動に連動して、ケーシング内水位が上下動する。
【００６４】
このように、（ケーシング内に通ずる）水中排気管５６の水中排気口６０を水中で上げ下げすることで、水中のケーシング３２に対する水中排気口６０の相対高さに応じて、ケーシング内の空気圧が変動するので、ケーシング内圧力の制御が簡単である。また、このような機能を簡単な装置構成で実現することができる。
【００６５】
また、ケーシング内に送り込んだ圧縮空気の圧力によって、ケーシング内への海水流入を簡単に妨げることができる。また、ケーシング内にすでに海水が進入している場合には、その空気圧によって、ケーシング内の海水をケーシング外に排出する（空気圧によって押し出す）ことができる。したがって、水中排気口６０（水中排気管５６）を上げ下げするだけで、ケーシング内水位をコントロールすることができるので、必要なときに簡単にケーシング内を排水することができる。なお、ケーシング内水位をコントロールする際、水中排気口６０を上下動させる幅は、ケーシング３２の上端と下端の深度範囲内である。
【００６６】
（掘削兼埋め戻し装置による掘削）
次に、図１１に基づいて、掘削兼埋め戻し装置５を用いた掘削について説明する。
海底地盤の掘削においては、掘削兼埋め戻し装置５は「掘削装置」として機能する。
【００６７】
掘削において、掘削兼埋め戻し装置５は、図１１に示すとおり、
(a) 油圧駆動式のバケット３１で海底地盤を掘削し、
その際、必要に応じて、掘削翼３５による回転掘削を併用し、
(b) 掘削した土砂をケーシング３２内に取り込んで、海中で別の場所まで移動させ、
(c) ケーシング３２内に取り込んだ掘削土砂を、任意の場所・任意のタイミングで、該ケーシングから海底地盤へ向けて排出する。
【００６８】
（掘削兼埋め戻し装置による埋め戻し）
次に、図１２に基づいて、掘削兼埋め戻し装置５を用いた埋め戻しについて説明する。
海底地盤の埋め戻しにおいては、掘削兼埋め戻し装置５は「埋め戻し装置」として機能する。
なお、次に述べる工程ａ〜ｄは、図１２に示す工程(a)〜(d)に対応している。
【００６９】
工程ａ：
はじめに、ケーシング内圧力制御装置の水中排気口６０を、ケーシング３２の下端位置の深度に位置決めする。その結果、エアーポンプから圧気用パイプを介して送られる圧縮空気でケーシング内が満たされ、その圧縮空気の加圧力によって、ケーシング内への海水流入が妨げられる。つまり、ケーシング３２の下端と水中排気口６０の深度を水中で揃えることで、ケーシング内が完全排水された状態が確保される。なお、ケーシング内の容量を超える過剰な圧縮空気は、水中排気管５６を介して水中排気口６０から排気され、更に、水中排気口６０を取り囲む外管７１によって水面方向にガイドされる。
以後、ケーシング内の完全排水状態が継続する。
続いて、所定量のドライな状態の埋め戻し材を、材料供給管２１を介してケーシング３２内に投入する。このとき、ケーシング下端のバケット３１（開閉部材）を閉じている。したがって、ケーシング３２内に投入された埋め戻し材は、バケット３１を超えて海中に流れ落ちることなく、ケーシング３２内にドライな状態のままで収容される。
なお、「ドライな状態」には、乾いた状態、海水で濡れていない状態、海水を過剰に含水していない状態などが含まれる。
【００７０】
工程ｂ：
次に、埋め戻し材をドライな状態で収容するケーシング３２を、図１２(b)に示すように海底の埋め戻し位置に移動させて、この埋め戻し位置に最接近させる。
なお、埋め戻し位置は、粘性地盤取込後等の凹んだ掘削孔や凹地でもよく、あるいは、平らな海底地盤でもよい。本実施形態では、埋め戻し位置の一例として、図１２(b)に示すような掘削孔を想定している。この掘削孔は、前述した掘削工程（図１１参照）で海底に形成されたものである。
続いて、完全排水状態で埋め戻し材を収容するケーシング下端を、埋め戻し位置の海底に突き当てる。図１２(b)に示す実施形態では、凹んだ掘削孔（埋め戻し位置）にケーシングを挿入して、ケーシング下端の閉じたバケット３１を孔底の地盤に突き当てている。
ケーシング３２内の埋め戻し材は、該ケーシングから排出される直前までドライな状態に保持されている必要がある。そのためには、ケーシンング３２は、掘削孔の孔底に突き当てた状態でも、完全排水状態を維持している必要がある。すなわち、ケーシング３２を海底地盤に突き当てた状態でも、ケーシング３２の下端と水中排気口６０の深度を揃えた状態に維持する必要がある。そこで、ケーシング３２を海底地盤に突き当てる際には、図１２(b)に示すように、必要に応じて、外管７１を被せた状態の水中排気管５６を海底地盤に貫入させる。
外管７１を具備する水中排気管５６を海底地盤に貫入させる際には、外管７１と水中排気管５６を一体的にドリルの様に回転させてもよい。これにより、貫入抵抗が軽減して、外管７１を具備する水中排気管５６を海底地盤に容易に貫入することができる。つまり、掘削孔に挿入されたケーシング下端の深度に対し、水中排気口６０の深度を合わせることができる。
【００７１】
工程ｃ：
次に、ケーシング３２内の完全排水を維持した状態で、バケット３１を開けて、ケーシング３２の下端開口部を開口させる。すなわち、ケーシング３２の下端と水中排気口６０の深度を揃えた状態で、バケット３１を開放させる。この状態から、外管７１を具備する水中排気管５６とともにケーシング３２を引き上げる。このケーシングの引き上げに伴って、ケーシング内に収容されていたドライな状態の埋め戻し材の塊が、海底地盤に向けて相対的に排出される。このとき、排出する埋め戻し材が海中を流れ落ちることの無いように（埋め戻し材が海水に晒されて洗われることが無いように）、埋め戻し材の荷重を地盤上に預けた状態で、ケーシング３２を引抜く。このときも、図１２(c)に示すように、ケーシング３２の下端と水中排気口６０の深度を揃えて、ケーシング内の完全排水状態を維持する。そして、この完全排水状態を維持しながらケーシング３２を引抜くことで、ケーシング内に収容されていたドライな状態の埋め戻し材の塊が、ケーシング内から海底地盤上（掘削孔）に移行する。
【００７２】
以上の工程を経て、ケーシング内に収容されていたドライな状態の埋め戻し材の塊が、海底地盤上の所定位置に排出され、対象の埋め戻し位置（掘削孔）が埋め戻し材の塊によって埋め戻される。この材料排出の過程では、図１２(b)に示すようにケーシングを取り囲む孔壁によってある程度の閉塞状態が確保されていることに加え、掘削孔底部に対してケーシング内の埋め戻し材を直接的に排出することが可能であるため、過剰な海水を含水させることなく埋め戻すことが可能である。
【００７３】
工程ｄ：
埋め戻し材の排出が完了したら、ケーシング３２の下端のバケット３１を再び閉じる。
そして、排出された埋め戻し材の塊を、必要に応じて、ケーシング下端（閉じた状態のバケット）により押し潰す。
【００７４】
（むすび）
上述した実施形態は、特許請求の範囲に記載した本発明の例示であって、本発明の形態は必ずしもこれに限定されるものではない。
【００７５】
また、上述した実施形態で例示した作業船は、本発明の実施に利用可能な作業機材の一例であり、本発明はこのような船体なしでも実施することが可能である。すなわち、上述した実施形態では船体を利用していたが、これに代えて、例えば陸上に用意した移動式重機に、埋め戻し装置などの必要機材を取り付けて、陸上から埋め戻しを実施することも可能である。また、このような陸上に用意した重機を利用して施工を行う場合には、当該重機を護岸や桟橋などに設置して必要な作業を行うことも可能である。
【００７６】
また、本発明の用途は、海底地盤の埋め戻しに限定されるものではなく、川底の埋め戻しや、湖底の埋め戻しにも利用可能である。
【符号の説明】
【００７７】
１      作業船（地盤改良船）
２      アンカーワイヤー
３      リーダ
５      掘削兼埋め戻し装置（掘削装置／埋め戻し装置）
１３    砂箱（材料収容箱）
１５    ベルトコンベアー
２１    材料供給管（材料送給路／流路）
２３    材料投入口（材料投入口）
２５    オーガーモーター（回転駆動装置）
２６    ワイヤーロープ
２７    ロッド
２９    掘削兼埋め戻し部（掘削手段／埋め戻し手段）
３１    バケット（掘削手段／開閉部材）
３２    ケーシング
３５    掘削翼
５１    エアーポンプ
５３    排気路
５５    昇降モーター（昇降手段）
５６    水中排気管
５７    排気バイパス管
５８    排気ホース
５９    水中排気管バルブ
６０    水中排気口
７１    外管（排気ガイド部材）
７３    排気泡通過部（隙間）
【図１】
2019131981.tif 000003
【図２】
2019131981.tif 000004
【図３】
2019131981.tif 000005
【図４】
2019131981.tif 000006
【図５】
2019131981.tif 000007
【図６】
2019131981.tif 000008
【図７】
2019131981.tif 000009
【図８】
2019131981.tif 000010
【図９】
2019131981.tif 000011
【図１０】
2019131981.tif 000012
【図１１】
2019131981.tif 000013
【図１２】
2019131981.tif 000014
【図１３】
2019131981.tif 000015
【図１４】
2019131981.tif 000016
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
ドライな状態の埋め戻し材を水中のケーシングに導く材料供給管と、前記材料供給管により導かれた埋め戻し材をドライな状態で収容するケーシングと、を具備する埋め戻し装置を利用して水底地盤を埋め戻す方法であって、
ドライな状態の埋め戻し材を、材料供給管を介して水中のケーシング内に投入する工程と、
埋め戻し材をドライな状態で収容するケーシングを、水底の埋め戻し位置に移動させる工程と、
埋め戻し材をドライな状態で収容する前記ケーシングの下端を、埋め戻し位置の水底に近接させる工程と、
前記ケーシングの下端開口部を開けた状態で、且つ、圧縮空気によりケーシング内への水の流入を妨げた状態で、排気路とともにケーシングを引き上げる工程と、を含み、
ケーシングの引き上げに伴って、ケーシング内に収容されていた埋め戻し材がケーシングから排出され、
前記埋め戻し材は、ケーシングから排出される直前までケーシング内でドライな状態に保持されている、ことを特徴とする埋め戻し方法。
【請求項２】
排気路とともにケーシングを引き上げる過程で、ケーシング内の埋め戻し材が水底地盤に向けて排出され、
排出された前記埋め戻し材を、ケーシング下端の開閉部材が閉じた状態で該ケーシングにより押し潰す工程を、さらに含むことを特徴とする請求項１に記載の埋め戻し方法。
【請求項３】
請求項１又は２に記載の方法を利用して水底地盤を埋め戻すための装置であって、
ドライな状態の埋め戻し材を、水中のケーシングに導くための材料供給管と、
前記材料供給管により導かれた前記埋め戻し材をドライな状態で収容するためのケーシングと、
前記ケーシングの下端開口部を開閉するための開閉部材と、
水中のケーシング内に圧縮空気を送るためのポンプと、
水中のケーシング内の空気圧力を外部にガイドするように設けられた排気路と、
前記排気路の排気口からの排気をガイドする排気ガイド部材と、
を具備する埋め戻し装置。
【請求項４】
前記排気ガイド部材は、少なくとも前記排気路の排気口近傍を隙間を隔てて囲う外管で構成されている、ことを特徴とする請求項３に記載の埋め戻し装置。
【請求項５】
水底地盤を埋め戻すための装置であって、
埋め戻し材をドライな状態で収容するためのケーシングと、
前記ケーシングの下端開口部を開閉するための開閉部材と、
水中のケーシング内に圧縮空気を送るためのポンプと、
水中のケーシング内の空気圧力を外部にガイドするように設けられた排気路と、
前記排気路の排気口からの排気をガイドする排気ガイド部材とを具備し、
前記排気路と前記排気ガイド部材が一体回転可能に設けられている埋め戻し装置。